(57)【要約】【課題】塗り絵をしながら詩歌文を読むことにより、描かれている物の名称や色、形状、その他の特徴などを、簡潔な言葉で表現して胎児に伝えるための胎教が容易にできる。そのような胎教用塗り絵の提供を目的とするものである。【解決手段】塗り絵記載部と詩歌文記載部とが同一紙葉上に記載された胎教用塗り絵において、前記詩歌文記載部中に、塗り絵記載部に描かれた絵の特徴的事項を詠み込む。また、上記胎教用塗り絵に、補足事項記載部を設ける。【選択図】  図２
2005141173.tif 000002
【特許請求の範囲】
【請求項１】
塗り絵記載部と詩歌文記載部とが同一紙葉上に記載された胎教用塗り絵であって、前記詩歌文記載部中に、塗り絵記載部に描かれた絵の特徴的事項が詠み込まれたことを特徴とする胎教用塗り絵。
【請求項２】
補足事項記載部が設けられた請求項１記載の胎教用塗り絵。
【発明の詳細な説明】
【技術分野】
【０００１】    本発明は、妊婦が胎児への教育的行為をするための塗り絵に関するものである。
【背景技術】
【０００２】    胎教用具の従来技術として、胎児の聴覚に訴えて音楽などを聞かせるための用具として、腹帯に音声出力ユニットを設けた「胎教用腹帯」がある（例えば、特許文献１参照）。
また、胎児の聴覚に訴えて妊婦が胎児に話し掛けるための用具として、管状送話器の「胎教用具」がある（例えば、特許文献２参照）。
また、塗り絵に関する従来技術の中に、塗り絵記載部と文字記載部を有する例として「紙芝居絵本」がある（例えば、特許文献３参照）。
また、妊婦の視覚を強烈に刺激して胎児への教育的効果を図るフラッシュ・カードと呼ばれる彩色絵文字カードを胎教用教材とするものもある（例えば、非特許文献１参照）。
【特許文献１】          実開平１−５１６１１号公報（請求項１〜５、図１）
【特許文献２】          実開平２−１４０５７１号公報（請求項１、図１）
【特許文献３】          実登３０６８９１３号公報（請求項４、図１）
【非特許文献１】          ジツコ・スセディック著「胎児はみんな天才だ」祥伝社、平成２年７月２５日、ｐ．１８５−１９１
【発明の開示】
【発明が解決しようとする課題】
【０００３】    塗り絵をしながら詩歌文を読むことにより、描かれている物の名称や色、形状、その他の特徴などを、簡潔な言葉で表現して胎児に伝えるための胎教が容易にできる。そのような胎教用塗り絵の提供を目的とするものである。
【課題を解決するための手段】
【０００４】    上記課題を解決するため、塗り絵記載部と詩歌文記載部とが同一紙葉上に記載された胎教用塗り絵において、前記詩歌文記載部中に、塗り絵記載部に描かれた絵の特徴的事項を詠み込む。【０００５】    また、上記胎教用塗り絵に、補足事項記載部を設ける。
【発明の効果】
【０００６】    従来の塗り絵のように、単に塗り絵をするだけでは、描かれている物の名称や色、形状、その他の特徴などを、簡潔な言葉で表現して胎児に伝えるための胎教をすることが難しい。
本願発明の胎教用塗り絵は、詩歌文記載部中に、塗り絵記載部に描かれた絵の特徴的事項が詠み込まれている。従って、妊婦が、塗り絵をしながら詩歌文を読むことによって、描かれている物の名称や色、形状、その他の特徴などを、簡潔な言葉で表現して胎児に伝えるための胎教が容易にできる。
また、詩歌文とすることで、妊婦にとって言いやすく覚えやすいという効果があり、聞くものにとっては、聞き取りやすく覚えやすいという効果がある。従って、本願発明の塗り絵は、胎児に言葉を教えるための胎教用教材として利用することができると共に、その適性が高い。
また、塗り絵記載部と詩歌文記載部を同一紙葉上に記載することによって、絵と詩歌文を対比しながら見るのに好都合であり、また、詩歌文を読みながら塗り絵をする胎教的行為をするのに好都合である。
また、本願発明の胎教用塗り絵は、詩歌文の頭音を丸で囲って表示し、札を見つけやすくすることにより、カルタ遊びに適した形態にすることができる。この形態の場合、胎児が幼児に成長しても、カルタ遊びのできる教材となるので好都合である。
また、本願発明の胎教用塗り絵は、胎児が乳児に成長してからも知育教材として使用することができる。この場合、聞き取りやすく覚えやすい詩歌文を聞かせて、該当する塗り絵を当てさせるカルタ遊びを通じて、その理解度や関心度などから、胎教の効果を推察するテスト材料とすることができるので好都合である。
また、妊婦へのアドバイスや詩歌文の内容に関する補足説明などを記載した補足事項記載欄を設けることにより、胎教を容易に行うことを可能にすると共に、描かれた絵に関する情報をより理解しやすく伝えることができるので、胎児に言葉を教えるための胎教用教材として利用することができると共に、その適性がより高められる。
また、描かれた物の名称を塗り絵文字として付記する場合、文字に親しませるための胎教用教材として利用することができ、また、描かれた物の名称を英語での名称で付記する場合、英語に親しませるための胎教用教材として利用することができる。この場合、▲１▼塗り絵をする、▲２▼塗り絵文字に色をつける、▲３▼英語に親しませるための胎教をする、という風に項目ごとに分けて行うことができるので、同じ絵と歌に関する胎教を、繰り返し、興趣を変えながら行うことができるので、胎教用教材としての適性が高く、胎教的効果も高めることができる。
【発明を実施するための最良の形態】
【０００７】    本願発明は、塗り絵記載部と詩歌文記載部とが同一紙葉上に記載された胎教用塗り絵において、詩歌文記載部中に、塗り絵記載部に描かれた絵の特徴的事項を詠み込むものである。
塗り絵記載部と詩歌文記載部とを同一紙葉上に記載するのは、絵と詩歌文を対比しながら見るのに好都合なようにするためであり、また、詩歌文を読みながら塗り絵をする胎教的行為をするのに好都合なようにするためでもある。
絵の特徴的事項とは、描かれている物の名称や色、形状、その他の特徴をいう。
詩歌文とは、詩歌風の文をいい、和歌、俳句、川柳などの詩歌のような文という意味合いでの表記である。簡潔な言葉で言いやすく覚えやすい表現が特徴である。
上記のような詩歌文の中に、描かれている物の名称や色、形状、その他の特徴などの特徴的事項が詠み込まれる。
紙葉は、カードタイプのように各紙葉毎に分離させる形態とブックタイプのように複数の紙葉を重ねて綴じる形態がある。
また、一枚の大きな紙を複数のブロックに分割し、各ブロック毎に塗り絵記載部と詩歌文記載部を設ける形態もある。この場合、各ブロック毎に折り畳んで携帯、収納することができるので好都合である。また、広げた状態で使用する場合、一覧性があるので、好きな絵柄や好きな詩歌文を選択して塗り絵を使った胎教ができろので好都合である。この形態では、各ブロック毎に切断して利用することも可能である。
また、詩歌文と別に、描かれた物の名称を塗り絵文字として付記する形態や、詩歌文と別に、描かれた物の名称を英語での名称で付記する形態がある。
描かれた物の名称を塗り絵文字として付記する場合、文字に親しませるための胎教用教材として利用することができる。また、描かれた物の名称を英語での名称で付記する場合、英語に親しませるための胎教用教材として利用することができる。
また、詩歌文の頭音を丸で囲って表示し、札を見つけやすくして、カルタ遊びに適した塗り絵とする形態がある。
また、塗り絵記載部と詩歌文記載部のほか、妊婦へのアドバイスや詩歌文の内容に関する補足説明などを記載する補足事項記載欄を設ける形態がある。
上記形態による場合、妊婦が胎教を容易に行うことを可能にすると共に、描かれた絵に関する情報をより理解しやすく伝えることができるので、胎児に言葉を教えるための胎教用教材として利用することができると共に、その適性がより高められる。
【実施例１】
【０００８】    以下図面に基づいて実施例を説明する。
図１は、請求項１による胎教用塗り絵の平面図である。
カードタイプの紙葉に、塗り絵記載部１と詩歌文記載部２が記載され、望ましい実施形態として、塗り絵文字４と英語での名称５が付記されている。
塗り絵記載部１には、林檎の絵の輪郭などが無彩色で描かれている。詩歌文記載部２には、「赤いほっぺのりんごさん  まん丸つやつや可愛いね」と、林檎の名称や色、形状、その他の特徴などの特徴的事項Ａが詠み込まれ、かつ、簡潔な言葉で表現されている。
望ましい実施形態として、塗り絵記載部１の横に、塗り絵文字４が「りんご」と白抜き文字で付記され、その下に、英語での名称５が片仮名で「アップル」と付記されている。
また、詩歌文の頭音「あ」を丸で囲って表示し、カルタ遊びに適した塗り絵の形態としている。
【実施例２】
【０００９】    図２は、請求項２による胎教用塗り絵の平面図である。
カードタイプの紙葉に、塗り絵記載部１と詩歌文記載部２が記載され、望ましい実施形態として、塗り絵文字４と英語での名称５が付記されている。また、下部に補足事項記載部６が設けられている。
塗り絵記載部１には、苺の絵の輪郭などが無彩色でが描かれている。詩歌文記載部２には、「いちごさん  赤いドレスに緑の帽子」と、苺の名称や色、形状、その他の特徴などの特徴的事項Ａが詠み込まれ、かつ、簡潔な言葉で表現されている。
望ましい実施形態として、塗り絵記載部１の横に、塗り絵文字４が「いちご」と白抜き文字で付記され、その下に、英語での名称５が片仮名で「ストロベリー」と付記されている。
また、詩歌文の頭音「い」を丸で囲って表示し、カルタ遊びに適した塗り絵の形態としている。
また、下部に補足事項記載部６が設けられ、「ドレスや帽子についても教えてあげよう」という妊婦へのアドバイスが記載されている。
【図面の簡単な説明】
【００１０】
【図１】 
【００１１】    請求項１による胎教用塗り絵の平面図である。【図２】 
【００１２】    請求項２による胎教用塗り絵の平面図である。
【符号の説明】
【００１３】  １  塗り絵記載部
２  詩歌文記載部
３  胎教用塗り絵
４  塗り絵文字
５  英語での名称
６  補足事項記載部
Ａ  特徴的事項
【図１】
2005141173.tif 000003
【図２】
2005141173.tif 000004